(57)【要約】【課題】  コンソール型電子写真複写機において、立位で行うように設計されたＡＤＦの開閉操作に支障をあたえず、且つ、車椅子を使用する下肢障害者にも低い位置でのＡＤＦの開閉操作が容易な複写機を、簡単な構成で実現する。【解決手段】  ＡＤＦ装置右側面に回動自在に支持されるＡＤＦ開閉用把手を設け、該ＡＤＦ開閉用把手は使用者により力を加えられる把手部と、把手部の操作に応じて画像読み取り装置本体の一部を押圧する押圧部とを有することを特徴とする。特にマグネットロック等のＡＤＦ閉状態保持機構を解除が初動操作が容易になる。【選択図】  図１
2006162742.tif 000002
【特許請求の範囲】
【請求項１】
画像読み取り装置（１）と、該画像読み取り装置の本体上面後端部に固定されたヒンジ（５）を介して上下方向に開閉される自動原稿送り装置（３）とを備える画像形成装置において、自動原稿送り装置（３）右側面に回動自在に支持されるＡＤＦ開閉用把手（６）を有し、該ＡＤＦ開閉用把手（６）は使用者により力を加えられる把手部（７）と、把手部（７）の操作に応じて画像読み取り装置本体の一部（１３）を押圧する押圧部（６ａ）とを有することを特徴とする画像形成装置。
【請求項２】
前記押圧部（６ａ）は、開閉用把手（６）の、回動軸（８）を挟んで把手前部（７）と逆の端部に位置することを特徴とする請求項１の画像形成装置。
【請求項３】
前記開閉用把手（６）は棒状の部材からなり、ＡＤＦ開状態では棒状の部材全体が回動軸（８）より下方に位置することを特徴とする請求項２の画像形成装置。
【請求項４】
前記ＡＤＦには、前記開閉用把手（６）の回動を規制するストッパーを有することを特徴とする請求項１の画像形成装置。
【請求項５】
前記ＡＤＦが所定量上昇するだけの、前記把手部（７）の操作ストロークを経てからストッパーが機能する状態となることを特徴とする請求項４の画像形成装置。
【請求項６】
前記開閉用補助把手（６）は、ＡＤＦ開状態で床面から１１７０ｍｍ以内の高さに位置することを特徴とする請求項１のＡＤＦ開閉用把手を有する電子写真複写機。
【発明の詳細な説明】
【技術分野】
【０００１】
本発明は、コンソールタイプ本体の上部に位置する自動原稿送り装置が回動可能に連結されるようになった本体上部と本体内部に画像形成部と読み取り部を有する、いわゆるコンソール型の複写機に関する。
【背景技術】
【０００２】
このような複写機では、自動的に原稿を原稿載置面に送り込む自動原稿送り装置（以下、ＡＤＦと称する。）が使用される。
【０００３】
ＡＤＦは、シート状の原稿以外でADFに送り込むことができない、綴じられた書類や本を複写する際には、ＡＤＦを持ち上げて開いた状態で原稿載置面上に被複写物を置く作業を必要とする。
【０００４】
しかし、ＡＤＦは、シート原稿を順次原稿載置面上に送給する機構等が装備されているために、その重量は板状の原稿押さえに比較して著しく大きくなっており、また、複数複写の際には一ページ毎に被複写物を交換するとともにADFの開閉操作も伴う。
【０００５】
又、従来例としては、例えば特許文献１と特許文献２をあげることが出来る。
【特許文献１】特開２００３−１４０２７７号公報
【特許文献２】特開２００４−１９８５６３号公報
【発明の開示】
【発明が解決しようとする課題】
【０００６】
図５は通常の複写機と使用者の対応関係を説明するための図である。（ａ）は車椅子使用状態を示し、（ｂ）は立位での使用状態を示したものである。
【０００７】
ＡＤＦの開閉操作は使用者が立位で行うように設計されており、ＡＤＦを最大開いた状態では床面からＡＤＦの取っ手部は約１５０ｍｍ以上の高さとなり、車椅子を使用する下肢障害者にはＡＤＦの取っ手部には手が届かないため、ＡＤＦ側面にも手がかりが無いためＡＤＦ開閉操作が容易でない。
【０００８】
また、米国リハビリテーション法５０８条  第１１９４．２５条Ｓｅｌｆ  ｃｏｎｔａｉｎｅｄ，ｃｌｏｓｅｄ  ｐｒｏｄｕｃｔｓ  （ｊ）操作部の位置の規定では、床面から１１７０ｍｍ以下の規定があり、コンソール型の画像形成装置は通常立位操作用に操作部の位置やレイアウトがなされているため規定に適合させるためにはＡＤＦ側面に床面から１１７０ｍｍ以下の位置に手がかりが必要である。
【０００９】
さらに、操作に要する力量は２．２７Ｋｇド以下の規定があるが、大型のＡＤＦでは３Ｋｇ以上の操作力量を必要とするものが存在する。
【課題を解決するための手段】
【００１０】
コンソール型電子写真複写機の本体上面後端部に固定されたヒンジを介して上下方向に開閉される自動原稿送り装置（ＡＤＦ）と画像読み取り装置を備える画像形成装置において、ＡＤＦ装置右側面に回動自在に支持されるＡＤＦ開閉用把手を有し、該ＡＤＦ開閉用把手は使用者により力を加えられる把手部と、把手部の操作に応じて画像読み取り装置本体の一部を押圧する押圧部とを有することを特徴とし、そのことによりＡＤＦ開閉操作において上記目的が達成される。
【発明の効果】
【００１１】
ＡＤＦ開閉用把手を従来の複写機に装着することにより、立位で行うように設計されたＡＤＦの取っ手部を使用する開閉操作に支障をあたえず、車椅子を使用する下肢障害者にも低い位置でのＡＤＦの開閉操作が容易になるために、複写操作に伴う被複写物の交換操作を可能とする。特にマグネットロック等のＡＤＦ閉状態保持機構を解除が初動操作が容易になる。
【発明を実施するための最良の形態】
【００１２】
本発明の第１の実施形態について以下に説明する。
【００１３】
図１は本発明のコンソール型電子写真複写機右側斜面からの概略図で、図２はそのコンソール型電子写真複写機のＡＤＦを若干開状態にした際の概略図である。図３はそのコンソール型電子写真複写機のＡＤＦを約８０度のほぼ全開状態にした際の概略図である。
【００１４】
複写機本体１は、本体上面に自動原稿送り装置（ＡＤＦ）３が取り付けられており、そのＡＤＦの下側、本体上面の操作部の奥には原稿載置面２が設けられている。
複写機本体の後部に回転ヒンヂ５が設けられ、ＡＤＦ３の後端部とヒンヂ５が固定されている。
【００１５】
ＡＤＦは被複写物を原稿載置面に設置可能とするためにヒンジ部を回転中心として図３に示されるように約８０度開く。また、４は通常ＡＤＦ３開操作のために用いられる開閉用取っ手である。
【００１６】
１４はマグネットロックで、複写機本体１上の図２に示された位置に固定された磁石と、ＡＤＦが閉じられたときにその磁石に向かい合う位置に固定された金属部材とからなり、ＡＤＦが閉じられているときにその状態を保持する。
【００１７】
本実施の形態の特徴としては、ＡＤＦ閉状態において、車椅子などの低位置からＡＤＦを開閉操作するための手掛かりとして、ＡＤＦ側面に装備した開閉用把手６を用いるよう構成したところである。
【００１８】
図４は、開閉用把手６およびその機能に関連する部分を示す図である。
【００１９】
開閉用把手６は、そのから前方に突出させた把手前部７を有し、回転軸部８に内蔵するＡＤＦ固定部９によりＡＤＦ側面に回動可能に保持される。また、開閉用把手６本体は、Ｌ字型の把手前部７と逆の端部にバランス用錘１０を設け、放置状態においては、開閉用把手６の棒状の部分全体が回転軸部８より下方に位置し、左右のバランスが取れて、図３、図４（ｃ）に示した棒状の部分が平行になるか、ややＬ字型の把手前部７のほうが下がるバランスで保持される。
【００２０】
ＡＤＦ閉状態（図４（ａ））では、複写機本体上部１１に固定された把手支持台１３により開閉把手６を水平のデフォルト状態に保持する。この状態ではＡＤＦ本体に固定された回転ストッパー１２は若干の遊びｄを有している。
【００２１】
ＡＤＦを持ち上げる際の動作を説明する。開閉用把手６の把手前部７を持ち上げると、開閉用把手６と把手支持台１３との関係としては、開閉用把手６の先端部６ａは把手支持台１３により下から保持されているため把手支持台１３より下方には移動できない。そのため、先端部６ａが把手支持台１３上を若干前方へすべるように移動しながら、先端部６ａを実質の軸としながら若干角度回動する。これにより、ＡＤＦ固定部９も上方に移動し、それに伴いＡＤＦ３自体もその回転軸部８が上方に移動する。つまり、開閉用把手６の動きとしては、先端部６ａを支点、把手前部７を作用点、ＡＤＦ固定部９を作用点としてＡＤＦ本体３を持ち上げるテコとして機能する。
【００２２】
ＡＤＦ３はその後端部とヒンヂ５により複写機本体に回動可能に保持されているので、前方部分が上方に移動するように回動する。開閉用把手６とＡＤＦ本体３との関係としては回転軸部８を内蔵するＡＤＦ固定部９を支点として相対的に若干回動する。
【００２３】
そして、この動きは開閉把手６が回転ストッパー１２に当接するまで行われる。そして、開閉把手６が回転ストッパー１２に当接するまでのＡＤＦ本体３の上がり幅分でマグネットロックが外れるように設定されている（図４（ｂ））。これによりＡＤＦ３のマグネットロックの解除に要する初動時力量の軽減を図ることができる。
【００２４】
マグネットが外れるとその時点でＡＤＦ本体３を持ち上げるために要する力は小さくなる。
【００２５】
開閉把手６が回転ストッパー１２に当接すると、開閉把手６とＡＤＦ本体３が実質一体的となり、把手前部７がＡＤＦ本体３を持ち上げ上げるための取っ手として使われる。この持ち上げ動作の時点でも把手前部７がＡＤＦ本体３先端より前方に出ていて、回転ヒンヂ５からの距離があるため、持ち上げるために要する力が小さくてすむようになっている。
【００２６】
図４（ｃ）はＡＤＦ本体３が上げられた状態を示した図であるが、この状態で把手前部７から手を離すと、先端部がその重みで下がるようになっている。把手前部７の高さとしても図３に示されるように、車椅子使用者でも充分手が届く高さとなっている。
【００２７】
そして、ＡＤＦ３を閉じる際にはこの下がった把手前部７に手をかけて手前に引き寄せることにより操作可能となっている。
【００２８】
上述の本発明の実施の形態によれば、ＡＤＦ開閉用把手を従来の複写機に装着することにより、立位で行うように設計されたＡＤＦの取っ手部を使用する開閉操作に支障をあたえず、車椅子を使用する下肢障害者にも低い位置でのＡＤＦの開閉操作が容易になるために、複写操作に伴う被複写物の交換操作を可能とする。
【００２９】
重量が重いＡＤＦの開閉操作を用意にするために、ＡＤＦ本体に装備された指先を引っ掛けて使用する小さな取っ手部に比較して、Ｌ字形状であるため義手や手、指を損傷したり手の力の弱い障害を持つ使用者でも確実にグリップでき、ＡＤＦ先端より手前に位置する把手先端部とともに梃子の原理で持ち上げ力量を軽減し、持ち上げ操作を容易に行える。
【００３０】
ＡＤＦが約８０度の最大開放状態の際に、把手前部に手が届くために手がかりとして引き寄せてＡＤＦを引き降ろし閉じる操作が可能となる。
【００３１】
ＡＤＦが閉じた状態で磁気ロックされている場合で、ロック解除を行う初動時力量は梃子の原理で軽負荷な操作が可能となる。
【００３２】
既存の複写機に搭載されるＡＤＦ側面に使用者の要求に従い追加装着が可能である。
【図面の簡単な説明】
【００３３】
【図１】本発明の複写の上部に設置したＡＤＦの側面に開閉用把手を装備した状態を示す概略図である。
【図２】本発明の複写の上部に設置したＡＤＦの側面に開閉用把手を装備した状態を示す概略図である。
【図３】本発明の複写の上部に設置したＡＤＦの側面に開閉用把手を装備した状態を示す概略図である。
【図４】（ａ）は複写機本体上のＡＤＦに装着した開閉用把手のデフォルト状態を示す概略図、（ｂ）は開閉用把手を持ち上げてＡＤＦの磁気ロックを解除する初期状態を示す概略図、（ｃ）はＡＤＦを持ち上げた位置で開閉用把手の動作状態を示す概略図である
【図５】通常の複写機と使用者の対応関係を説明するための図である。
【符号の説明】
【００３４】
１  複写機本体
２  原稿載置面
３  自動原稿送り装置（ＡＤＦ）
４  開閉用取っ手
５  回転ヒンヂ
６  開閉用把手
７  把手前部
８  回転軸部
９  ＡＤＦ固定部
１０  バランス用錘
１１  複写機本体上部
１２  回転ストッパー
１３  把手支持台
１４  マグネットロック
【図１】
2006162742.tif 000003
【図２】
2006162742.tif 000004
【図３】
2006162742.tif 000005
【図４】
2006162742.tif 000006
【図５】
2006162742.tif 000007